(57)【要約】      （修正有）【課題】ＡＣ／ＤＣ変換器を使用せずに既存の蛍光灯器具にどの様な向きにでも装着できるＬＥＤ蛍光灯を提供する。【解決手段】横長筒状のケース１の両端部に第１端子対２、2a及び第２端子対３、3aを備え、複数のＬＥＤ及び各種回路を備えた発光ユニット４を内蔵し、一端側の第１端子対２、2aと第１ブリッジダイオード５の２本の入出力端子を接続し、他端側の第２端子対３、3aと第２ブリッジダイオード5aの２本の入出力端子を接続し、上記発光ユニット４のアノード側と第１、２ブリッジダイオード５、5aのカソード端子を、発光ユニット４のカソード側と第１、２ブリッジダイオード５、5aのアノード端子を夫々接続したＬＥＤ蛍光灯を、既存の蛍光灯器具に装着すると、自動的に交流電流を直流電流に変換し、結果として直流電流となって発光ユニットを通電させることを可能にする。【選択図】図１
2012138195.tif 000002
【特許請求の範囲】
【請求項１】
横長筒状のケースの両端部に第１端子対及び第２端子対を備え、複数のＬＥＤ及び各種回路を備えた発光ユニットを内蔵し、一端側の第１端子対と第１ブリッジダイオードの２本の入出力端子を接続し、他端側の第２端子対と第２ブリッジダイオードの２本の入出力端子を接続し、上記発光ユニットのアノード側と第１、２ブリッジダイオードのカソード端子を、発光ユニットのカソード側と第１、２ブリッジダイオードのアノード端子を夫々接続したことを特徴とするＬＥＤ蛍光灯。
【発明の詳細な説明】
【技術分野】
【０００１】
本発明は、既存の蛍光灯器具にそのまま装着可能なＬＥＤ蛍光灯に関する。
【背景技術】
【０００２】
従来、既存の蛍光灯器具にあっては、図２に示す様に、交流電源（ＡＣ１００Ｖ）の一方のラインＬａを、スイッチＥ及び安定器Ｆを介して一方のソケットＢａの一方の端子Ｃａに、他方のラインＬｂを、他方ソケットＢｂの一方の端子Ｄａに夫々接続し、一方のソケットＢａの他方の端子Ｃｂと他方のソケットＢｂの一方の端子Ｄｂの接続ラインＬｃにグローランプＧを設け、蛍光管Ａがどのような向きに装着されていても、スイッチＥを「ＯＮ」にすると、グローランプＧが点灯して蛍光管Ａの内部のヒータに通電し、封入水銀が十分気化した頃にグローランプＧが消灯し安定器Ｆから高圧パルスが発生され、この高圧パルスにより放電が開始し蛍光管Ａが発光し、発光後は安定器Ｆからの高圧パルスがなくなっても、通常のＡＣ１００Ｖで放電が維持される様に成っている。
【０００３】
しかし、昨今の省エネルギー対策として、蛍光灯に代わって複数のＬＥＤが内蔵された、所謂ＬＥＤ蛍光灯が開発されたが、点灯方式が直流式であるため、既存の蛍光灯器具に装着しても点灯しないため、専用器具に取り替えるか、或いは図３に示す様に、装着されたＬＥＤ蛍光灯Ｈを点灯可能にすべく、一方のソケットＢａの一方の端子Ｃａと他方のソケットＢｂの一方の端子Ｄｂを新規ラインＬｄで直結し、安定器Ｆから一方のラインＬａを外して新規ラインＬｄに接続し、接続ラインＬｃからグローランプＧを外し直結して、既存器具をＬＥＤ蛍光灯に対応可能にする配線工事が必要であった。
【０００４】
しかし、何れにしても専用器具への取替工事や既存器具への配線工事が必要になることから、蛍光灯と同様に既存の器具にそのまま装着可能なＬＥＤ蛍光灯が見受けられ、具体的には、横長筒状のケースと、該ケース内に設けられた支持板と、該支持板の両端部に設けられた、器具のソッケットに対する第１端子対及び第２端子対と、該第１端子対及び第２端子対に接続し、前記支持板の上面に設けられたＡＣ／ＤＣ変換器と、該ＡＣ／ＤＣ変換器に接続され、支持板の底面に設けられた複数のＬＥＤに夫々供給する電圧を調整する電圧制御部とを有している（例えば、特許文献１参照）。
【先行技術文献】
【特許文献】
【０００５】
【特許文献１】特開２００１−３５１４０２号公報
【発明の概要】
【発明が解決しようとする課題】
【０００６】
しかし、上記従来技術にあっては、ＬＥＤ側に直流電流を通電させるためのＡＣ／ＤＣ変換器が必要になるなど、解決せねばならない課題があった。
【課題を解決するための手段】
【０００７】
本発明は、上記従来技術に基づく、既存の蛍光灯器具にそのまま装着可能なＬＥＤ蛍光灯にはＡＣ／ＤＣ変換器が必要になる課題に鑑み、横長筒状のケースの両端部に第１端子対及び第２端子対を備え、複数のＬＥＤ及び各種回路を備えた発光ユニットを内蔵し、一端側の第１端子対と第１ブリッジダイオードの２本の入出力端子を接続し、他端側の第２端子対と第２ブリッジダイオードの２本の入出力端子を接続し、上記発光ユニットのアノード側と第１、２ブリッジダイオードのカソード端子を、発光ユニットのカソード側と第１、２ブリッジダイオードのアノード端子を夫々接続した本発明に係るＬＥＤ蛍光灯を、既存の蛍光灯器具に装着すれば、第１端子対及び第２端子対からの電流を確実に発光ユニットのアノード側に送り、発光ユニットのカソード側からの電流を確実に第１端子対及び第２端子対の対応するどれかに送ることによって、自動的に交流電流を直流電流に変換し、結果として直流電流となって発光ユニットを通電させることを可能にして、上記課題を解決する。
【発明の効果】
【０００８】
要するに本発明は、横長筒状のケースの両端部に第１端子対及び第２端子対を備え、複数のＬＥＤ及び各種回路を備えた発光ユニットを内蔵し、一端側の第１端子対と第１ブリッジダイオードの２本の入出力端子を接続し、他端側の第２端子対と第２ブリッジダイオードの２本の入出力端子を接続し、上記発光ユニットのアノード側と第１、２ブリッジダイオードのカソード端子を、発光ユニットのカソード側と第１、２ブリッジダイオードのアノード端子を夫々接続しているので、ＬＥＤ蛍光灯専用器具の取付作業や既存の蛍光灯器具の配線工事せずに、而も専用のＡＣ／ＤＣ変換器を使用せずに、既存の蛍光灯器具に、どの様な向きにでも装着出来、蛍光灯からの取替コストを極めて低く抑えることが出来る等その実用的効果甚だ大である。
【図面の簡単な説明】
【０００９】
【図１】本発明に係るＬＥＤ蛍光灯及び該ＬＥＤ蛍光灯を装着状態の器具の概略回路図である。
【図２】従来の蛍光灯器具の概略回路図である。
【図３】従来の蛍光灯器具をＬＥＤ蛍光灯仕様に配線工事した状態の概略回路図である。
【発明を実施するための形態】
【００１０】
本発明に係るＬＥＤ蛍光灯にあっては、上述の既存の蛍光灯器具に装着可能で、図１に示す様に、横長筒状のケース１の両端部に第１端子対２、2a及び第２端子対３、3aを備え、複数のＬＥＤ及び各種回路を備えた発光ユニット４を内蔵し、一端側の第１端子対２、2aと第１ブリッジダイオード５の２本の入出力端子を接続し、他端側の第２端子対３、3aと第２ブリッジダイオード5aの２本の入出力端子を接続し、上記発光ユニット４のアノード側と第１、２ブリッジダイオード５、5aのカソード端子を、発光ユニット４のカソード側と第１、２ブリッジダイオード５、5aのアノード端子を夫々接続し、更に第１、２ブリッジダイオード５、5aのどちらか一方（図面上、第１ブリッジダイオード５）のアノード端子及びカソード端子の間に平滑コンデンサ６を接続している。
【００１１】
上記第１端子対２、2aにおける一方の端子２と第２端子対３、3aにおける他方の端子3aにバリスタ７を接続し、第１端子対２、2aにおける他方の端子2aと第２端子対３、3aにおける一方の端子３にバリスタ7aを接続して、雷電圧の誘導などで高電圧が誘起すると、誘導電流の殆どをバリスタ７、7aに通して発光ユニット４を保護する様にしている。
【００１２】
上記第１端子対２、2aにおける一方の端子２と第１ブリッジダイオード５の入出力端子をヒューズ８を介して接続し、第２端子対３、3aにおける一方の端子３と第２ブリッジダイオード5aの入出力端子をヒューズ8aを介して接続し、大電流が発生した場合にヒューズ８、8aが断線されて、発光ユニット４を保護する様にしている。
【００１３】
次に、本発明に係るＬＥＤ蛍光灯の作用について説明する。
交流電流の＋半周期分は、一方のラインＬａからスイッチＥと安定器Ｆを通って一方のソケットＢａにおける一方の端子Ｃａと第１端子対２、2aにおける一方の端子２を介し、バリスタ７側には流れずに、第１ブリッジダイオード５を通過して発光ユニット４に通電し、該発光ユニット４のＬＥＤを発光させ、流出する電流は、第２ブリッジダイオード5aと第２端子対３、3aにおける一方の端子３と他方のソケットＢｂにおける一方の端子Ｄａを介し、他方のラインＬｂに戻る。
【００１４】
交流電流の−半周期分は、他方のラインＬｂから他方のソケットＢｂにおける一方の端子Ｄｂと第２端子対３、3aにおける一方の端子３を介し、バリスタ7a側には流れずに、第２ブリッジダイオード5aを通過して発光ユニット４に流入し、該発光ユニット４のＬＥＤを発光させ、流出する電流は、第１ブリッジダイオード５と第１端子対２、2aにおける一方の端子２と一方のソケットＢａにおける一方の端子Ｃａを介し、一方のラインＬａに戻る。
【００１５】
そして、平滑コンデンサ６の充放電により、発光ユニット４には電圧が平滑化された電流が流入する。
【００１６】
又、如何なる場合であってもグローランプＧ側には通電しないことから、図１においては一点鎖線で表してあり、動作電流は既存蛍光灯より小さくなるため、安定器Ｆに流れる電流も小さくなる。
【００１７】
尚、本発明に係るＬＥＤ蛍光灯によれば、第１端子対２、2aを他方のソケットＢｂに、第２端子対３、3aを一方のソケットＢａに嵌め込んでも、又１８０度回転させて第１端子対２、2aにおける他方の端子2aと第２端子対３、3aにおける他方の端子3aに通電させる様に装着しても、発光ユニット４に直流電流が通電可能としている。
【符号の説明】
【００１８】
１      ケース
２、2a  第１端子対
３、3a  第２端子対
４      発光ユニット
５、5a  第１、２ブリッジダイオード
６      平滑コンデンサ
【図１】
2012138195.tif 000003
【図２】
2012138195.tif 000004
【図３】
2012138195.tif 000005